(57)【要約】  トラック輸送箱に容易に積み付けすることができ、輸送中に該輸送箱内で安定した積み付け状態に保たれるポータブルトイレを開示する。該ポータブルトイレ（１０）では、タンクユニット（１２）び淡水タンク（２０）と汚水タンク（３０）との双方の容量が互いに反比例して変わる。トイレ装置の下端部と一体化された（１１）該タンクユニット（１２）の幅及び長さは該トイレ装置の幅及び長さよりも短く、かくして該トイレ装置の下端部から内側に向かって段状になっている。該淡水タンク（２０）及び該汚水タンク（３０）は、該タンク間の接合部に設けられた可変タンク（４０）と共にそのフランジ式の開放型端部で互いに単一構造になるように組み付けられている。
2007520649.tif 000002
【特許請求の範囲】
【請求項１】
下記を具備するポータブルトイレ。その中にトイレ、洗面器などを装備し、その側壁にドアを有するトイレ装置と、該トイレ装置の下端部と一体化されて、該ポータブルトイレの下部を構成するタンクユニットであって、その幅及び長さが該トイレ装置の幅及び長さよりも所定距離分短く、かくして該トイレ装置の下端部周囲に段差を提供するように構設され、該タンクユニットの外面周囲に空間が規定され、下記を備えるタンクユニット。その端部が開口され、その開口端部にテーパーが付いており、該テーパー部の該開口端部の周囲に設けられたフランジと共にテーパー部を規定するタンク体をそれぞれ備える淡水タンク及び汚水タンクと、互いに向き合うそのフランジで互いに締着されており、かくして単一構造に一体化されている一方、該フランジ間の接合部にて所定の密着効果を実現する該淡水タンク及び該汚水タンクと、該フランジ間の該接合部に挟入されて該接合部で所定の密着効果を提供するように該フランジ間に設けられる可変タンク。
【請求項２】
該フランジ、及び一定間隔で該フランジに配設されたナット及びボルトを用いて該可変タンクの両側縁部及び該フランジ間にそれぞれ挟入される２つの密着板の間に配置される該可変タンクの両縁部と共に該淡水タンク及び該汚水タンクのフランジが締着されており、その結果、該所定の密着効果が該フランジ間の該接合部にて提供されていることを特徴とする請求項１に係るポータブルトイレ。
【発明の詳細な説明】
【技術分野】
【０００１】
本発明は、一般にポータブルトイレに関するものであって、より具体的には、トラック輸送箱に容易に積み付けすることができ、トラックによって所望の場所に輸送される間に該輸送箱内で安定した積み付け状態に保たれ、及び該ポータブルトイレの下部を構成するタンクユニットの淡水タンク及び汚水タンク双方の容量が互いに反比例して変わるポータブルトイレに関するものである。本発明のポータブルトイレは、トイレ装置の下端部と一体化して該ポータブルトイレの下部を構成する該タンクユニットの幅及び長さが該トイレ装置の幅及び長さよりも所定距離分短く、該トイレ装置の下端部から内側に向かって段状になっており、そして該淡水タンク及び該汚水タンク双方のそれぞれが、その開口端部で互いに単一構造に組み付けられている該淡水タンク及び該汚水タンク間の接合部に設けられた可変タンクであって、その端部が開口するタンク体を備えているように構設されている。
【背景技術】
【０００２】
以下に、従来のポータブルトイレの構造を、本発明の実施形態に係るポータブルトイレを示す図１及び図２を参照して説明する。
【０００３】
図１及び図２に示すように、通常ポータブルトイレはトイレ装置１１及びタンクユニット１２を備える。該トイレ装置１１は、通常その中にトイレ、洗面器などを装備し、該ポータブルトイレ１０の上部を構成するものである。該ポータブルトイレの下部を構成する該タンクユニット１２は、水をその淡水タンクから該トイレ装置１１に供給し、該トイレ装置１１から排出される汚水をその汚水タンクに貯蔵するものである。水を該淡水タンクに充填する毎、及び該汚水タンクを空にする毎に該ポータブルトイレを長期間にわたって使用することを可能にするためには、該淡水タンク内に多量の水を含有させ、及び該汚水タンク内に多量の汚水を含有させるように該ポータブルトイレを設計することができる。しかし、上述した該ポータブルトイレの設計には、該タンクユニット１２の水含有容量及び該ポータブルトイレのサイズのそれぞれを増加させる必要がある。
【０００４】
さまざまなサイズのポータブルトイレを所望の場所に輸送するためには、種々のトラックを使用することが可能である。大型ポータブルトイレを或る場所から他の場所に移動するには、大型トラックまたはトレーラー付きトラックトラクターを使用することが可能である。しかし、中型または小型ポータブルトイレの場合は、中型のトラックを用いて該ポータブルトイレを所望の場所に輸送することができる。
【０００５】
従来のポータブルトイレでは、トイレ装置の長さ及び幅はタンクユニットの長さ及び幅と同じであり、したがって、該トイレ装置と該タンクユニットとの双方の側壁は、一体的に連続して該側壁の平坦外面を形成する。かくして、従来の小型ポータブルトイレは、安全に所望の場所に輸送することができる一方、該ポータブルトイレは、それぞれベッド３の前縁、側縁及び後縁より立ち上がる一枚のフロントパネル、２つのサイドゲート４及び１つのテールゲート５によって該トラック１のベッド３上に規定されるトラック１開放型輸送箱２に安定して積み付けされる。しかし、該小型ポータブルトイレは、小型淡水タンクと小型汚水タンクとの双方を有する小容量のタンクユニット１２のみしか提供できず、その結果、設置された該小型ポータブルトイレの管理者は、水を該淡水タンクに頻繁に補充し、頻繁に該汚水タンクを空にしなくてはならない。
【０００６】
従来の大型ポータブルトイレは、該ベッド３の縁部から２つの該サイドゲート４及び１つの該テールゲート５が立ち上がる該トラック１の該輸送箱２内に積み付けできない場合がある。
【０００７】
よって、該大型ポータブルトイレの該ベッド３への積み付けに先立って、該輸送箱２の２つの該サイドゲート４及び１つの該テールゲート５を開かなくてはならない。上記の状態では、該開放型サイドゲート４及び該開放型テールゲート５を該トラック１の一部に締着することができない場合があり、その結果、該ポータブルトイレの輸送中に該開放型サイドゲート４及び該開放型テールゲート５が騒音を生じる場合がある。
【０００８】
その上、該大型ポータブルトイレの幅が該ベッド３の幅を超え、その結果、該ポータブルトイレの両側面部が該ベッド３の両側からかなりの長さで外方に突出してしまう。上記の状態では、該ポータブルトイレの突出する側面部のため、該ポータブルトイレをロープを用いて該トラック１に堅固かつ安定的に縛着することは容易ではなく、その結果、該ベッド３上に積み付けされる該大型ポータブルトイレは安定的でなく、該ポータブルトイレの輸送中、時折ベッド３上で突然に動いて該ベッド３から道路上に落下する恐れがある。その上、該ポータブルトイレを所望の場所に輸送するために該トラック１が道路を走行中、該ベッド３上に積み付けされた該大型ポータブルトイレの突出する側面部が道路上の物体または通行人と衝突したり、通りかかる他の車両に突き当たる恐れもある。かくして、該該ベッド３上に積み付けられた該大型ポータブルトイレの突出する側面部には、該ポータブルトイレの輸送中に安全上の問題を引き起こす危険がある。
【０００９】
その上、該従来のポータブルトイレの下部を構成する該タンクユニット１２は、該タンクユニット１２内に固設された固定仕切り壁によって淡水タンク及び汚水タンクに分かれている。かくして、該淡水タンク及び該汚水タンクの容量はそれぞれ固定されている。かくして、該淡水タンクが充填されほとんど満タン状態のときは、該汚水タンクはほとんど空の状態になる。反対に、該汚水タンクがほとんど満タン状態のときは、該淡水タンクはほとんど空の状態になる。かくして、従来のポータブルトイレは、該ポータブルトイレのタンクユニット１２の容量が効率的に使用されないという点で問題がある。
【発明の開示】
【発明が解決しようとする課題】
【００１０】
以上の点から、本発明は、従来の技術において発生する上記問題に鑑みてなされたものであって、本発明の目的は、容易にトラック輸送箱に積み付けでき、トイレ装置の下端部と一体化して該ポータブルトイレの下部を構成するタンクユニットの幅及び長さが該トイレ装置の幅及び長さよりも所定距離分短くなるように構設されており、該トイレ装置の下端部から内側に向かって段状になっており、そして該トイレ装置では、該タンクユニットの淡水タンクと汚水タンクとの双方のそれぞれには、該淡水タンクと該汚水タンクとの間の接合部に設けられた可変タンクと共に、その端部が開口して互いに単一構造に組み付けられているタンク体を備えるポータブルトイレを提供することである。
【００１１】
本発明の別の目的は、該トイレ装置の下端部の周囲に段差が設けられ、該タンクユニットの外面周囲に空間を規定するように構設されており、かくして、該タンクユニットが該輸送箱に挿入される一方、該トイレ設備の下端部が該輸送ボックスのサイドゲートとテールゲートとの双方の上端部に位置されるように、該トラック輸送箱に容易かつ安定的に積み付けされるポータブルトイレを提供することである。
【００１２】
また、本発明のもう一つの目的は、可変タンクが該タンクユニットの該淡水タンク及び該汚水タンク間の接合部に設けられ、その結果、水が該淡水タンクに供給されると、該可変タンクは該汚水タンクに向かって移動されて該淡水タンクの容量を増加し、それによって、該淡水タンクがその中に多量の水を含有することが可能になり、該淡水タンクの水が徐々に使用され、汚水が該トイレ装置から生じるにつれて、該可変タンクは徐々に該淡水タンクに向かって移動して徐々に該汚水タンクの容量を増加し、それによって、該汚水タンク多量の汚水を含有することが可能になり、水を該淡水タンク内に充填した後に本ポータブルトイレを使用できる期間が長いポータブルトイレを提供することである。
【００１３】
さらに別の本発明の目的は、該タンクユニットが該輸送箱に挿入される一方、該トイレ設備の下端部が該輸送ボックスのサイドゲートとテールゲートとの双方の上端部に位置されるように、トラック輸送箱に積み付けされ、かくしてロープを用いて該トラックに締着することなしに、該輸送箱内で安定して堅固かつ安全な積み付け状態に保たれるポータブルトイレを提供することである。
【課題を解決するための手段】
【００１４】
上記目的を達成するために、本発明は、下記を含むポータブルトイレを提供するものである。その中にトイレ、洗面器などを装備し、その側壁にドアを有するトイレ装置と、該トイレ装置の下端部と一体化されて、該ポータブルトイレの下部を構成するタンクユニットであって、その幅及び長さが該トイレ装置の幅及び長さよりも所定距離分短く、かくして該トイレ装置の下端部周囲に段差を提供するように構設され、該タンクユニットの外面周囲に空間が規定され、下記を備えるタンクユニット。その端部が開口され、その開口端部にテーパーが付いており、該テーパー部の該開口端部の周囲に設けられたフランジと共にテーパー部を規定するタンク体をそれぞれ備える淡水タンク及び汚水タンクと、互いに向き合うそのフランジで互いに締着されており、かくして単一構造に一体化されている一方、該フランジ間の接合部にて所定の密着効果を実現する該淡水タンク及び該汚水タンクと、該フランジ間の該接合部に挟入されて該接合部で所定の密着効果を提供するように該フランジ間に設けられる可変タンク。
【発明を実施するための最良の形態】
【００１５】
これから、すべての図面を通じて同一または類似の構成部品を命名するのに同一参照番号を使用した図面について説明する。
【００１６】
図１〜図４ｂは、本発明の好適な実施形態に係るポータブルトイレ１０の図面である。図１及び図２の図面はそれぞれ、該ポータブルトイレ１０の斜視図及び断面図である。図３ａ〜図３ｃは、該ポータブルトイレ１０を構成するタンクユニットの構造及び動作を示す断面図である。図４ａ及び図４ｂはそれぞれ、図１のポータブルトイレ１０が或る一定の場所に設置されるときの斜視図及び断面図である。
【００１７】
図１及び図２に示すように、本発明のポータブルトイレ１０はトイレ装置１１及びタンクユニット１２を備える。該トイレ装置１１は、その中にトイレ、洗面器などを装備し、その側壁にドア１３を有しており、該ポータブルトイレ１０の上部を構成する。該タンクユニット１２は、該トイレ装置１１の下端部と一体化して該ポータブルトイレ１０の下部を構成する。該ポータブルトイレ１０では、該タンクユニット１２の幅及び長さが、所定距離Ｄ分だけ該トイレ装置１１の幅及び長さよりも短くなるように構設されている。かくして、段差１１-１が該トイレ装置１１の下端部の周囲に設けられる一方、空間１６が、該タンクユニット１２の外面周囲に規定される。
【００１８】
以下に、その幅及び長さが該トイレ装置１１の幅及び長さよりも所定距離Ｄ分だけ短い該タンクユニット１２の構造を、図３ａ〜図３ｃを参照して詳細に説明する。
【００１９】
該タンクユニット１２は淡水タンク２０及び汚水タンク３０を備え、そのそれぞれのタンクはその端部が開口するタンク体を備える。該淡水タンク２０及び該汚水タンク３０の開口端部にはテーパーが付けられており、該タンク２０及び３０の該テーパー部２１及び３１のそれぞれの開口端部の周囲に設けられたフランジ２２または３２と共にテーパー部２１及び３１をそれぞれ規定している。空間２３または３３は、かくして２つの該タンク２０及び３０の該テーパー部２１及び３１のそれぞれの周囲に規定される。該淡水タンク２０と該汚水タンク３０とを組み付けて単一タンクユニットにするには、先ず、その該フランジ２２及び３２が互いに向き合うように２つの該タンク２０及び３０が配設される。その後、２つの該タンク２０と３０とを、該フランジ２２及び３２にて通常のナット及びボルト４４及び４３を用いて、２つの該フランジ２２と３２との間の接合部にて所望の密着効果が得られるように締着される。
【００２０】
上記の状態では、該可変タンク４０が、２つの該タンク２０及び３０の２つの該フランジ２２と３２との間に介在し、所望の密着効果が該接合部にて得られるように、可変タンク４０を該淡水タンク２０及び該汚水タンク３０の２つのレンジ２２と３２との間の接合部に設けられる。詳細に説明すると、該可変タンク４０は、２つの該タンク２０及び３０の２つの該フランジ２２と３２との間のその縁部に、該可変タンク４０の縁部の両側と２つの該フランジ２２及び３２との間にそれぞれ挟入される２つの密着板４２と共に配置されるものである。その後、２つの該フランジ２２と３２とが、該可変タンク４０の両縁部と２つの該密着板４２と共に該フランジ２２及び３２に一定間隔で配設された該ナット及びボルト４４及び４３を用いて締着される。かくして、所望の密着効果が、該タンク２０及び３０の２つの該フランジ２２と３２との間の該接合部にて実現する。
【００２１】
該可変タンク４０の両縁部と共に２つの該フランジ２２及び３２と２つの該密着板４２とが、該フランジ２２及び３２に一定間隔で配設された該ナット及びボルト４４及び４３によって締着されると、２つの該タンク２０及び３０の該テーパー部２１及び３１周囲に規定される空間２３及び３３により、作業者は該ナット及びボルト４４及び４３を容易に締め付けることが可能になる。
【００２２】
前述のポータブルトイレの動作及び効果は、以下の通りである。
【００２３】
本発明のポータブルトイレ１０では、該トイレ装置１１の下端部と一体化される該タンクユニット１２は、その幅及び長さが該トイレ装置１１の幅及び長さよりも所定距離Ｄ分だけ短くなるように構設されている。かくして、該段差１１-１が該トイレ装置１１の下端部の周囲に設けられる一方、該空間１６が、該タンクユニット１２の外面周囲に規定される。よって、該ポータブルトイレ１０が、第１図に示すようにクレーン（図示せず）を用いてトラック１の輸送箱２に積み付けされると、該トイレ１０の該タンクユニット１２は、２つのサイドゲート４及びテールゲート５によってベッド３上に規定された該輸送箱２に挿入され、かくして該ベッド３上に位置される。上記の状態では、該トイレ装置１１の下端部の周囲に設けられた該段差１１-１は、該輸送箱２の該サイドゲート４と該テールゲート５との上端部に位置される。その上、該トイレ装置１１の側壁外面が、該輸送箱２の該サイドゲート４及び該テールゲート５から外方に突出する。
【００２４】
該ポータブルトイレ１０が、該トラック１の輸送箱２に積み付けされると、該トイレ１０の該タンクユニット１２は、２つの該サイドゲート４及び該テールゲート５によって該ベッド３上に規定された該輸送箱２に挿入され、かくして該ベッド３上に位置される一方、該トイレ装置１１の下端部の周囲に設けられた該段差１１-１は、該輸送箱２の該サイドゲート４と該テールゲート５との上端部に位置される。かくして、該ポータブルトイレ１０は、安定かつ堅固に該トラック１の該輸送箱２に積み付けされる。よって、該ポータブルトイレ１０を所望の場所に輸送中、該トイレ１０は、該輸送箱２内でスライドしたり動いたりすることなしに該輸送箱２内で安定かつ堅固な積み付け状態に保たれる。その上、該トイレ装置１１の側壁外面が、該輸送箱２の該サイドゲート４及び該テールゲート５から外方に突出する場合でさえも、該トラック１の該輸送箱２に挿入されてダイベッド３及び該トイレ装置１１の該段差１１-１上に位置される該タンクユニット１２は、該輸送箱２のサイドダイゲート４と該テールゲート５との上端部に位置される。かくして、該ポータブルトイレ１０は、安定かつ堅固に該トラック１の該輸送箱２に積み付けされる。よって、該ポータブルトイレ１０は輸送中に該ベッド３上で動かず、したがって該ベッド３上に積み付けられた該ポータブルトイレ１０は、輸送中に安全上の問題を引き起こすことがない。
【００２５】
該トラック１が所望の場所に到着し、該ポータブルトイレ１０が該トラック１の該輸送箱２から、積み下ろしされた後、別個のステップが、図４ａ及び図４ｂに示すように該ドア１３前の位置で該トイレ１０の周囲に設置され、かくして、該トイレ装置１１内に設けられた該トイレや該洗面器などを使用することが可能になる。
【００２６】
該ポータブルトイレ１０では、該可変タンク４０が、図３ａ〜図３ｃに示すように、該タンクユニット１２の該淡水タンク２０と該汚水タンク３０との間の接合部に設けられる。
【００２７】
かくして、該汚水タンク３０が空である間に淡水が該淡水タンク２０に供給されると、該淡水タンク２０に供給されたその淡水の圧力のために該可変タンク４０は該汚水タンク３０に向かって移動され、それによって図３ａに示すように、該汚水タンク３０内の補助用淡水タンク２０-１が規定される。よって、該淡水は、該淡水メインタンク２０と、該可変タンク４０によって形成される該淡水補助タンク２０-１との双方に含まれることができ、その結果、多量の淡水が、該タンクユニット１２内に含まれるようになる。
【００２８】
該トイレ装置１１内に設けられた該トイレや該洗面器が使用されると、淡水が新たに、該淡水メインタンク２０と、該可変タンク４０によって形成される該淡水補助タンク２０-１との双方に含まれた後には、メイン及び補助用の該淡水タンク２０及び２０-１の淡水は、徐々に使用されて、該タンク２０及び２０-１内の水位は下がる。上記の状態では、該トイレ装置１１内に設けられた該トイレ、該洗面器などから生じて該汚水タンク３０内に貯蔵される汚水量は徐々に増加する。
【００２９】
その一方、メイン及び補助用の該淡水タンク２０及び２０-１内に含まれている淡水の大半が実質的に使用されると同時に、該汚水タンク３０に含まれている汚水量が増加されると、該可変タンク４０は、該汚水タンク３０内に貯蔵される汚水の圧力のため、該淡水タンク２０に向かって移動される。かくして、汚水補助タンク３０-１は、図３ｂに示すように該淡水タンク２０内に規定される。よって、該汚水は、メインの該汚水タンク３０と、該可変タンク４０によって形成される補助の該汚水タンク３０-１との双方に含まれることができ、その結果、多量の汚水が、該タンクユニット１２内に含まれるようになる。上記の状態では、該淡水タンク２０の容量は、該汚水補助タンク３０-１容量の増加に反比例して減少する。
【００３０】
上記のように、本発明のポータブルトイレ１０では、該可変タンク４０が、該タンクユニット１２の該淡水タンク２０と該汚水タンク３０との間の接合部に設けられる。該可変タンク４０は、淡水量及び汚水量に反比例して、該淡水タンク２０または該汚水タンク３０に向かって移動され、かくして該タンクユニット１２の該淡水タンク２０容量または該汚水タンク３０容量が増加される。よって、本発明のポータブルトイレ１０により、該タンクユニット１２が固定容量を有する場合でも、該タンクユニット１２の特別効率が最大化される。
【産業上の利用可能性】
【００３１】
上記のように、本発明は、容易にトラック輸送箱に積み付けできるポータブルトイレを提供する。本ポータブルトイレは、トイレ装置の下端部の周囲に段差を提供し、タンクユニットの外面周囲に空間を規定するように構設されている。
【００３２】
かくして、本ポータブルトイレは、該タンクユニットが該輸送箱に挿入される一方、該トイレ設備の下端部が該輸送ボックスのサイドゲートとテールゲートとの双方の上端部に位置されるように、該トラック輸送箱に容易かつ安定的に積み付けされる。その上、可変タンクが該タンクユニットの淡水タンクと汚水タンクとの間の接合部に設けられる。
【００３３】
かくして、水が該淡水タンクに供給されると、該可変タンクは該汚水タンクに向かって移動されて該淡水タンクの容量を増加し、それによって、該淡水タンクがその中に多量の水を含有することが可能になる。その一方、該淡水タンクの水が徐々に使用され、汚水が該トイレ装置から生じるにつれて、該可変タンクは徐々に該淡水タンクに向かって移動して徐々に該汚水タンクの容量を増加し、それによって、該汚水タンク多量の汚水を含有することが可能になる。かくして、水を該淡水タンク内に充填した後に本ポータブルトイレを使用できる期間は長い。本ポータブルトイレは、該タンクユニットが該輸送箱に挿入される一方、該トイレ設備の下端部が該輸送ボックスのサイドゲートとテールゲートとの双方の上端部に位置されるように、該トラック輸送箱に積み付けされるので、ロープを用いて該トラックに締着することなしに、該輸送箱内で安定して堅固かつ安全な積み付け状態に保たれる。
【００３４】
本発明の好適な実施形態は例示的な目的で開示したものであって、当業者であれば、種々の変更、付加および代替を添付の特許請求の範囲で開示した本発明の範囲および真の趣旨から逸脱することなく行い得ることを理解されるであろう。
【図面の簡単な説明】
【００３５】
【図１】本発明の好適な実施形態に係るポータブルトイレを示す斜視図であって、該ポータブルトイレはトラック輸送箱に配置されるものである。
【図２】図１のポータブルトイレの側面図。
【図３ａ】図１のポータブルトイレを構成するタンクユニットの構造及び動作を示す断面図。
【図３ｂ】図１のポータブルトイレを構成するタンクユニットの構造及び動作を示す断面図。
【図３ｃ】図１のポータブルトイレを構成するタンクユニットの構造及び動作を示す断面図。
【図４ａ】図１のポータブルトイレが或る一定の場所に設置されるときの斜視図。
【図４ｂ】図１のポータブルトイレが或る一定の場所に設置されるときの断面図。
【図１】
2007520649.tif 000003
【図２】
2007520649.tif 000004
2007520649.tif 000005
2007520649.tif 000006
2007520649.tif 000007
2007520649.tif 000008
2007520649.tif 000009
【国際調査報告】
2007520649.tif 000010
2007520649.tif 000011